(57)【要約】      （修正有）【課題】剪断後も被剪断物を継続的に保持することのできる園芸用鋏であって、挟持力が持続的に得られる耐久性を有するとともに、鋏の剪断能力を損なうことのない園芸用鋏を提供する。【解決手段】二層構造の支持板４１，４２と、その間に形成される固定溝４４と、該固定溝に嵌設され前記被剪断物を載置する当接部材４３とを備える固定剪断部４０と、前記固定溝に嵌挿される可動部５２と、該可動部の一部に設けられ前記当接部材に押圧されて前記被剪断物を剪断する剪断刃５１とを備える可動剪断部と、一端に前記当接部材と当接し前記被剪断物を挟持する歯部を、他端に延伸部６３を有する挟持部と、前記延伸部と前記可動部とを弾設し、前記剪断刃が前記被剪断物または前記当接部材に押圧されると、前記歯部を前記被剪断物に押圧させる弾性体７０とを備え、これらが一の支軸５４にて互いに回動自在に軸支してなる園芸用鋏。【選択図】図１
2006166790.tif 000002
【特許請求の範囲】
【請求項１】
剪断後の被剪断物の挟持が可能な園芸用鋏であって、
二層構造の支持板と、該二層構造の支持板の間に形成される固定溝と、該固定溝に嵌設され前記被剪断物を載置する当接部材とを備える固定剪断部と、
前記固定溝に嵌挿される可動部と、該可動部の一部に設けられ前記当接部材に押圧されて前記被剪断物を剪断する剪断刃とを備える可動剪断部と、
一端に前記当接部材と当接し前記被剪断物を挟持する歯部を、他端に延伸部を有する挟持部と、
前記延伸部と前記可動部とを弾設し、前記剪断刃が前記被剪断物または前記当接部材に押圧されると、前記歯部を前記被剪断物に押圧させる弾性体と、
を備え、
前記固定剪断部と前記可動剪断部と前記挟持部がそれぞれ軸通孔を有し一の支軸にて互いに回動自在に軸支してなることを特徴とする園芸用鋏。
【請求項２】
内部に貫通孔を有し、一端で前記固定剪断部と連接する管体部と、
前記貫通孔に挿通し、一端が前記可動部と回動自在に連接する伝動部材と、
前記管体部の他端および前記伝動部材の他端に接続し、把握動作によって前記伝動部材を前後に移動させる制御レバーと、
を備え、かつ、
前記可動部が略Ｌ字状の板体であって係合端縁部を有し、
前記挟持部が該係合端縁部と係合する係合凸部を有することを特徴とする請求項１記載の園芸用鋏。
【発明の詳細な説明】
【技術分野】
【０００１】
本発明は園芸用の工具に関し、特に園芸用の鋏に関する。
【背景技術】
【０００２】
従来の園芸鋏は剪断部で剪断の動作を行うと、剪断された物体が即落ちる。これは鋏を使って行う作業にとって何ら不具合なことではない。しかしながら、例えば花、果物など一部の特定のものを剪断する作業にとっては、剪断する部分が保留すべき部分であるため、剪断と同時に地面等に落ちると剪断物が容易に破損するという問題がある。また、作業者がこれを拾い、目標の地点に置かなければならないため、作業上の不便と欠点を有する。
【０００３】
このため業界では鋏の剪断部の側面に挟持構造を設け、被剪断物が挟持され容易に落ちない改良構造が開発されている。例えば、先行文献１（特許文献１：特開２０００-１８８９５４号公報）には、刃先の側面にキャッチブレードを備えた花がら摘みはさみの発明が、先行文献２（特許文献２：特開平９−２８１８８号公報）および先行文献３（特許文献３：特開平９−９７８２号公報）には、剪断刃の側方に挟持歯を備える高枝用長尺鋏の発明が、それぞれ記載されている。
【特許文献１】特開２０００-１８８９５４号公報
【特許文献２】特開平９−２８１８８号公報
【特許文献３】特開平９−９７８２号公報
【発明の開示】
【発明が解決しようとする課題】
【０００４】
しかし、上記の各発明にて用いられている挟持構造は、いずれも弾性部材を鋏の刃の片側側面に直接取り付けた構造であり、まず挟持構造によって被剪断物を挟持してから可動刃により剪断を行う方式であるため、被剪断物を保持するバランスが悪く可動刃と固定刃による剪断の際に被剪断物がぐらつきやすいほか、被剪断物の片側が挟持構造にて持ち上げられているため可動刃と固定刃の重なるポイントで好適に被剪断物を受けることができず、剪断の切れ味が得られ難くなるなどの問題点がある。
【０００５】
また、可動刃の側面で被剪断物を挟持するというかかる構造は、剪断時に反力として受けるモーメントが大きく本質的に耐久性についても問題があるため、所定の挟持力が長続きしないという欠点がある。
【０００６】
従って、本発明の課題は、剪断部に設ける挟持構造を改良し、好ましい挟持力が持続的に得られる耐久性を有するとともに、鋏の剪断能力を損なうことのない園芸用鋏を提供することにある。
【課題を解決するための手段】
【０００７】
そこで、上記課題を解決するため本発明者は鋭意検討の末、剪断構造の固定刃を二層構造とし、かかる二層の間に挟持構造の受側に相当する当接部材を挟み、挟持構造の可動側たる挟持板と、剪断構造の剪断刃をともに当接部材に押圧するように剪断動作を行うことにより、挟持構造の耐久性があがるとともに、剪断構造の動作を妨げることなく被剪断物の挟持が可能であることを見出し、かかる知見に基づき、本発明の完成に到った。
【０００８】
すなわち以下の発明によれば、上記の各課題を解決することが可能である。
（１）剪断後の被剪断物の挟持が可能な園芸用鋏であって、
二層構造の支持板と、該二層構造の支持板の間に形成される固定溝と、該固定溝に嵌設され前記被剪断物を載置する当接部材とを備える固定剪断部と、
前記固定溝に嵌挿される可動部と、該可動部の一部に設けられ前記当接部材に押圧されて前記被剪断物を剪断する剪断刃とを備える可動剪断部と、
一端に前記当接部材と当接し前記被剪断物を挟持する歯部を、他端に延伸部を有する挟持部と、
前記延伸部と前記可動部とを弾設し、前記剪断刃が前記被剪断物または前記当接部材に押圧されると、前記歯部を前記被剪断物に押圧させる弾性体と、
を備え、
前記固定剪断部と前記可動剪断部と前記挟持部がそれぞれ軸通孔を有し一の支軸にて互いに回動自在に軸支してなることを特徴とする園芸用鋏。
【０００９】
また本発明は、その具体的な実施の態様として以下の各関連発明を含むものである。
（２）内部に貫通孔を有し、一端で前記固定剪断部と連接する管体部と、
前記貫通孔に挿通し、一端が前記可動部と回動自在に連接する伝動部材と、
前記管体部の他端および前記伝動部材の他端に接続し、把握動作によって前記伝動部材を前後に移動させる制御レバーと、
を備え、かつ、
前記可動部が略Ｌ字状の板体であって係合端縁部を有し、
前記挟持部が該係合端縁部と係合する係合凸部を有することを特徴とする（１）記載の園芸鋏。
【発明の効果】
【００１０】
本発明にかかる園芸鋏によれば、剪断構造の剪断能力を損なうことなく被剪断物を剪断すると同時にこれを挟持する挟持構造を備え、好ましい挟持力が得られ、かつ該挟持力が持続することによって園芸における被剪断物の剪断や採集の作業を容易にするとともに、該剪断構造の高い耐久性が得られる。
【発明を実施するための最良の形態】
【００１１】
以下、本発明の実施の形態について図面を用いて具体的に説明する。図１は本発明の実施の形態にかかる園芸鋏の斜視図である。ただし本発明は以下に述べるように図１に示す如き高枝切鋏の形態を採る必要はなく、その他、例えば刈込鋏、剪定鋏、植木鋏、盆栽鋏、ぶどう切り鋏、花鋏などに対し、本発明に特徴的な挟持構造を設けることも可能であるため、以下の実施の形態に限られるものではない。
【００１２】
本実施の形態にかかる園芸鋏は、大別して管体部１０と、伝動部材２０と、制御レバー３０と、固定剪断部４０と、可動剪断部５０と、挟持部６０と、弾性体７０とからなる。可動剪断部５０と固定剪断部４０により剪断構造が、挟持部６０と固定剪断部４０により挟持構造が、それぞれ形成される。
【００１３】
ただし上記のうち、管体部１０、伝動部材２０および制御レバー３０については、本実施の形態にかかる高枝切鋏が一般的に持つ、本来の機能を果たすための構成要件であり、本発明に必須なものではない。
【００１４】
管体部１０は、所定の長さを有し内部に貫通孔１１を形成した中空の管体である。伝動部材２０は、該管体部１０の貫通孔１１内に挿嵌され、所定の長さを有する桿体である。制御レバー３０は、管体部１０の手前側の一端において伝動部材２０の一端と接続し、把握動作により伝動部材２０を前後に移動させる。これに伴って伝動部材２０の他端も前後移動し、後述する可動剪断部を駆動する。
【００１５】
固定剪断部４０は剪断構造および挟持構造に共通して用いられる受側の部材であり、二層構造を呈する支持板４１，４２と、該支持板に挟持される当接部材４３によって構成される。固定剪断部４０は管体部１０と連接し、二層構造を呈する支持板４１と４２の間には固定溝４４が形成される。支持板４１，４２は、固定溝４４が貫通する分離式でも、固定溝４４が所定の深さに留まる断面凹型でもよく、その間に当接部材４３を挟着できればよい。本実施の形態では２枚からなる分離式とし、間に挟持した当接部材４３を２本のボルトで共締めしている。
【００１６】
図２に、本実施の形態にかかる園芸鋏の分解図を示す。当接部材４３は上面で剪断刃５１および挟持部６０を受け、一部で被剪断物を剪断し、他の一部で被剪断物を挟持する。形状や材質は特に限定されないが、剪断刃５１と当接する凹型で、かつ弾力性のあるゴムなどの弾性素材で上面を形成することが好ましい。また断面略Ｔ字状の当接部材４３は、脚部が上述のように二層の支持板４１，４２に挟持されることが好適である。当接部材４３が１枚の支持板の片側にオフセットして設けられると、従来技術にみられる剪断動作のバランスの悪化や、耐久性の低下が生じるためである。
【００１７】
可動剪断部５０は例えば略Ｌ字型を呈する板体であり、剪断刃５１と、該剪断刃５１と夾角をなす可動部５２とを有する。可動部５２の形状は特に限定されず、板状でも曲管状でもよいが、本実施の形態では高枝切鋏である関係上、板状の部材として図示している。
【００１８】
剪断刃５１は、固定剪断部４０の当接部材４３に当接するよう曲率や取付角度などの形状が定められる。可動部５２は固定剪断部４０の固定溝４４内に挿設される。また固定剪断部４０および可動部５２には対応する位置に軸通孔４５，５３が穿設され、支軸５４にて互いに回動自在に軸着されている。また可動剪断部５０の端部は伝動部材２０と回動自在に連接しており、伝動部材２０の前記前後移動により、可動剪断部５０は支軸５４を中心として回動する。
【００１９】
挟持部６０は、剪断後の被剪断物が落下するのを防ぐべく可動剪断部５０と連動して被剪断物を当接部材４３に押圧する部材である。挟持部６０も支軸５４を介して固定剪断部４０と回動自在に軸着されるため、略中間位置に軸通孔６１を有する。挟持部６１の形状は特に限定されず板状でも曲管状でもよいが、挟持部６０は可動部５２と連動する部材であることから両者の構造は共通化させることが機構の単純化の観点から好ましい。よって本実施の形態では、挟持部６０は可動部５２と同様に板状の部材としている。
【００２０】
挟持部６０は２枚の支持板４１，４２の間に挟持しても、一方の支持板の外部から当接させてもよい。また挟持部６０の一端であって当接部材４３と当接する面には歯部６２を設けることが、被剪断物の保持性の観点から好適である。
【００２１】
挟持部６０の他端には延伸部６３を形成し、該延伸部６３と可動部５２との間を弾性体７０にて弾設する。これにより可動剪断部５０の剪断刃５１が当接部材４３に強く押し当てられ、被剪断物を剪断するとき、弾性体７０に引っ張られた挟持部６０の歯部６２も所定の押圧をもって当接部材４３に弾性的に当接する。
【００２２】
ここで、被剪断物の対象によっては、例えば花卉など挟持部にて強く保持することが許されない場合があるが、かかる場合は弾性体７０の弾性率を低いものに替えることにより、弱い付勢力で被剪断物を挟持することができる。逆に果物などの重量物を保持する必要があるときは弾性体７０の弾性率を高いものとすることで、剪断刃５１の押圧と同程度の強い付勢力でこれを挟持することが可能となる。
【００２３】
上記のように、被剪断物に対し、まず剪断刃５１が当接し、剪断が開始した後に挟持部６０が被剪断物に当接することに本発明の特徴がある。すなわち従来技術ではいずれも挟持部による被剪断物の挟持が剪断動作に先んじて行われていたところ、被剪断物を挟持した状態で剪断刃を下ろすことは被剪断物の曲げを通じて挟持部にモーメント荷重を与え、挟持機構の耐久性を損なうという問題がある。
【００２４】
また挟持部によって被剪断物が固定的に保持されていると、剪断刃は単に振り下ろすだけの動作しか許されず、剪断刃と固定刃をずらしながら被剪断物の切り易い部位を探したり、剪断前に予備的な切れ目を入れたりする動作が困難になる。したがって、本発明にかかる園芸鋏のように、最初に剪断刃５１のみが被剪断物に当接し、切り落とす前の途中状態まで剪断が進んだときに初めて挟持部６０が被剪断物に当接することにより、剪断構造の剪断能力を損なわないという本発明の目的のひとつが達成される。
【００２５】
一方、制御レバー３０を開くなどにより剪断刃５１を当接部材４３から離す場合、これに追随して挟持部６０も開くことが正常な開閉動作として必要である。このため、挟持部６０には係合凸部６４を設け、これと可動部５２に設けた係合端縁部５５とを適宜係合させる。
【００２６】
図３は、本実施の形態にかかる園芸鋏の動作説明図である。歯部６３と当接部材４３が当接した初期状態において、延伸部６３は持ち上がった状態にあり、係合端縁部５５と係合凸部６４はともに高い位置で当接している。この状態から矢印にて示す方向に伝動部材２０を前進させ、剪断刃５１を開くと、係合端縁部５５は係合凸部６４と係合したまま図中時計回りにこれを押し下げていく。これにより歯部６２は支軸５４を中心に時計回りに回転し、当接部材４３から離脱する。
【００２７】
なお、更に剪断刃５１を時計回りに回動させると、遂には係合凸部６４が固定剪断部４０の前端縁部４６と当接し、係合端縁部５５とに挟まれた状態となる。これが可動剪断部５０および挟持部６０の最大開角であり両者の回動角度は制限される。
【００２８】
図４は、本発明にかかる園芸鋏の使用状態を示す正面図である。固定剪断部４０を構成する二層構造の支持板４１，４２の間には当接部材４３と可動剪断部５０が挟持される。保持部６０は支持板４１の外側にて図示しない支軸により軸着している。剪断刃５１と当接部材４３の開閉により被剪断物Ａが剪断されるが、かかる動作においては、まず剪断刃５１が被剪断物Ａに当接し、更に剪断を開始し、直後に保持部６０が被剪断物Ａと当接し、その後、剪断が完了しても、付勢力により保持部６０の歯部は被剪断物の挟持を継続する。
【００２９】
このため、被剪断物は剪断されたあとも園芸鋏から落下することなく保持され、剪断刃５１が開放されてはじめて挟持が解除される。よって剪断後の被剪断物Ａを目標の位置に移動させて剪断刃５１を開放することで、効率的に回収を行うことができる。
【産業上の利用可能性】
【００３０】
本発明にかかる園芸鋏は、例えば花卉や果実などの被剪断物を、剪断後も継続的に保持しつづけることのできるものである。本発明の特徴部分は刃先の可動部や剪断部にあるため、実施の形態にて例示した高枝切鋏の他、上述したように刈込鋏、剪定鋏、植木鋏、盆栽鋏、ぶどう切り鋏、花鋏などにも適用が可能である。
【図面の簡単な説明】
【００３１】
【図１】本発明の実施の形態にかかる園芸鋏の斜視図
【図２】本発明の実施の形態にかかる園芸鋏の分解図
【図３】本発明の実施の形態にかかる園芸鋏の動作説明図
【図４】本発明の実施の形態にかかる園芸鋏の使用状態図
【符号の説明】
【００３２】
１０        管体部
１１        貫通孔
２０        伝動部材    
３０        制御レバー
４０        固定剪断部
４１，４２  支持板    
４３        当接部材
４４        固定溝
４５，５３，６１  軸通孔
４６        前端縁部        
５０        可動剪断部
５１        剪断刃
５２        可動部
５４        支軸
５５        係合端縁部
６０        挟持部
６２        歯部
６３        延伸部
６４        係合凸部
７０        弾性体
Ａ          被剪断物
【図１】
2006166790.tif 000003
【図２】
2006166790.tif 000004
【図３】
2006166790.tif 000005
【図４】
2006166790.tif 000006